(57)【特許請求の範囲】
【請求項１】
オフィスビルの通風を管理するシステムであって、
前記オフィスビルは、複数階それぞれに設けられ、外壁に面する複数の事務室と、複数階それぞれに設けられ、境界部を介して前記事務室と隣接する複数の廊下室と、前記廊下室との間に常時通風可能な開口部が設けられ、１階から最上階まで連通する階段室とを有しており、
各階の前記事務室の外壁に設けられた外壁窓を開閉するための外壁窓開閉装置と、
各階の前記境界部に設けられ、前記外壁窓の通風経路上に位置する経路窓を開閉するための経路窓開閉装置と、
前記階段室に設けられた、屋外に面する吹抜け窓を開閉するための吹抜け窓開閉装置と、
各階に設けられ、前記外壁窓についての開放指示および閉鎖指示をユーザから受け付けるための指示入力手段と、
前記指示入力手段が受け付けた指示に応じて、前記外壁窓開閉装置を制御して対応階の前記外壁窓の開閉を行うとともに、前記経路窓開閉装置を連動制御して同一階の前記経路窓の開閉を行い、かつ、前記吹抜け窓開閉装置を制御して前記吹抜け窓の開閉を行う開閉制御手段とを備え、
前記開閉制御手段は、前記指示入力手段から開放指示が入力された場合、同一階の前記経路窓とともに前記吹抜け窓を開放し、前記指示入力手段から閉鎖指示が入力された場合、他の階の前記経路窓が閉状態である場合に限り、同一階の前記経路窓とともに前記吹抜け窓を閉鎖する、通風管理システム。
【請求項２】
前記オフィスビル外の気象情報を検知するための検知手段と、
前記検知手段により検知された気象情報に基づいて、通風に適しているか否かを判定する判定手段と、
前記判定手段による判定結果を、各階のユーザに報知するための報知手段とをさらに備える、請求項１に記載の通風管理システム。
【請求項３】
前記外壁窓は、前記事務室の外壁に設けられた複数の窓を含み、かつ、前記外壁窓開閉装置は、前記窓ごとに設けられており、
前記開閉制御手段は、前記指示入力手段により前記複数の窓のうちの少なくとも１つの開放指示が入力された場合に、前記経路窓を開放し、前記複数の窓の全てが閉状態となる場合に限り、前記経路窓を閉鎖する、請求項１または２に記載の通風管理システム。
【請求項４】
前記検知手段は、外気温を検知するための外気温センサと、降雨の有無を検知するための降雨センサとを含み、
前記開閉制御手段は、前記外壁窓が開状態のときに前記降雨センサにより降雨が検知された場合には、前記外壁窓および前記経路窓を閉鎖する、請求項２に記載の通風管理システム。
【請求項５】
オフィスビル内の通風を制御する通風制御装置であって、
前記オフィスビルは、複数階それぞれに設けられ、外壁に面する複数の事務室と、複数階それぞれに設けられ、境界部を介して前記事務室と隣接する複数の廊下室と、前記廊下室との間に常時通風可能な開口部が設けられ、１階から最上階まで連通する階段室とを有しており、
当該通風制御装置は、各階の前記事務室の外壁に設けられた外壁窓を開閉するための外壁窓開閉装置、各階の前記境界部に設けられ、前記外壁窓の通風経路上に位置する経路窓を開閉するための経路窓開閉装置、前記階段室に設けられた、屋外に面する吹抜け窓を開閉するための吹抜け窓開閉装置、および、各階に設けられ、前記外壁窓についての開放指示および閉鎖指示をユーザから受け付けるための指示入力手段のそれぞれと信号授受可能に接続されており、
前記指示入力手段からの、前記外壁窓についての指示信号を入力する入力手段と、
前記入力手段に指示信号が入力された場合に、当該指示信号に応じて、前記外壁窓開閉装置を制御して対応階の前記外壁窓の開閉を行うとともに、前記経路窓開閉装置を連動制御して同一階の前記経路窓の開閉を行い、かつ、前記吹抜け窓開閉装置を制御して前記吹抜け窓の開閉を行う開閉制御手段とを備え、
前記開閉制御手段は、前記指示入力手段から開放指示が入力された場合、同一階の前記経路窓とともに前記吹抜け窓を開放し、前記指示入力手段から閉鎖指示が入力された場合、他の階の前記経路窓が閉状態である場合に限り、同一階の前記経路窓とともに前記吹抜け窓を閉鎖する、通風制御装置。
【請求項６】
複数階それぞれに設けられ、外壁に面する複数の事務室と、複数階それぞれに設けられ、境界部を介して前記事務室と隣接する複数の廊下室と、前記廊下室との間に常時通風可能な開口部が設けられ、１階から最上階まで連通する階段室とを有するオフィスビルにおいて、各階の前記事務室の外壁に設けられた外壁窓を開閉するための外壁窓開閉装置、各階の前記境界部に設けられ、前記外壁窓の通風経路上に位置する経路窓を開閉するための経路窓開閉装置、および、前記階段室に設けられた、屋外に面する吹抜け窓を開閉するための吹抜け窓開閉装置を制御するプログラムであって、
前記外壁窓についての開放指示および閉鎖指示をユーザから受け付けるステップと、
ユーザから前記外壁窓の開放指示が入力された場合に、前記外壁窓開閉装置を制御して対応階の前記外壁窓を開放するとともに、前記経路窓開閉装置および前記吹抜け窓開閉装置を連動制御して同一階の前記経路窓および前記吹抜け窓を開放するステップと、
ユーザから前記外壁窓の閉鎖指示が入力された場合に、前記外壁窓開閉装置を制御して対応階の前記外壁窓を閉鎖するとともに、前記経路窓開閉装置を連動制御して同一階の前記経路窓を閉鎖し、他の階の前記経路窓が閉状態である場合に限り、前記吹抜け窓を閉鎖するステップとをコンピュータに実行させる、通風制御プログラム。
【発明の詳細な説明】
【技術分野】
【０００１】
本発明は、建物の通風管理システム、通風制御装置およびプログラムに関し、特に、オフィスビルに適した通風管理システム、通風制御装置およびプログラムに関する。
【背景技術】
【０００２】
建物において自然通風を利用することは、省エネルギーの観点から非常に有効である。そのため、従来から、効果的に建物内の通風を行うための様々なシステムが提案されている。
【０００３】
たとえば、特開２０１４−８１１６３号公報（特許文献１）には、屋外状況に基づいて通風経路を判断し、通風経路上の窓や扉を開放する屋内環境監視システムが開示されている。また、特開２０１４−１４１８４１号公報（特許文献２）には、複数の候補経路のなかから通風効果が大きい通風経路を設定する通風制御装置が開示されている。
【先行技術文献】
【特許文献】
【０００４】
【特許文献１】特開２０１４−８１１６３号公報
【特許文献２】特開２０１４−１４１８４１号公報
【発明の概要】
【発明が解決しようとする課題】
【０００５】
現状では、オフィスビルにおいて屋内環境の改善に自然通風が利用されることは稀である。オフィスビルの外壁に設けられた窓の多くが、開放不可のＦＩＸ窓であったり、通風できたとしても、窓の開放によって通風するのではなく、サッシに通風用のガラリを設けるケースがほとんどであるからである。
【０００６】
一方で、外壁に開放可能な窓が設けられたオフィスビルも存在する。しかし、せっかく開放可能な窓が設けられていても、ほとんどのオフィスビルにおいて窓は閉鎖されたままとされている。その理由としては、窓を開放すると、書類が飛散する、ブラインドがばたつく、といった物理的要因の他、操作が面倒である、個人の判断で窓を開けたり空調を止めたりしにくい、という「気兼ね」が阻害要因となっている。
【０００７】
上述のような従来の通風システムは、屋外状況に応じて窓や扉が自動的に開放されるため、住宅には適用できるものの、上記したような物理的要因を考慮すると、オフィスビルに適用することは困難である。
【０００８】
本発明は、上記のような課題を解決するためになされたものであって、その目的は、オフィスビルにおいても、容易かつ効果的に自然通風を行うことができる通風管理システム、通風制御装置およびプログラムを提供することである。
【課題を解決するための手段】
【０００９】
この発明のある局面に従う通風管理システムは、建物内の通風を管理するシステムであって、第１の外壁窓開閉装置と、第１の経路窓開閉装置と、第１の指示入力手段と、開閉制御手段とを備える。第１の外壁窓開閉装置は、建物の第１のフロアの外壁に設けられた第１の外壁窓を開閉する。第１の経路窓開閉装置は、第１の外壁窓の通風経路上に位置する第１の経路窓を開閉する。第１の指示入力手段は、第１の外壁窓についての開放指示および閉鎖指示をユーザから受け付ける。開閉制御手段は、第１の指示入力手段が受け付けた指示に応じて、第１の外壁窓開閉装置を制御して第１の外壁窓の開閉を行うとともに、第１の経路窓開閉装置を連動制御して第１の経路窓の開閉を行う。
【００１０】
好ましくは、通風管理システムは、建物外の気象情報を検知するための検知手段と、検知手段により検知された気象情報に基づいて、通風に適しているか否かを判定する判定手段と、判定手段による判定結果を、第１のフロアのユーザに報知するための報知手段とをさらに備える。
【００１１】
建物は、第１のフロアに位置し、第１の外壁窓が設けられた外壁に面する居室と、第１のフロアに位置し、居室との境界部に第１の経路窓が設けられた非居室と、非居室に隣接し、屋外に面する吹抜け窓が設けられた吹抜け室とを有していてもよい。この場合、当該通風管理システムは、吹抜け窓を開閉するための吹抜け窓開閉装置をさらに備え、開閉制御手段は、第１の経路窓開閉装置と吹抜け窓開閉装置とを連動制御し、第１の経路窓の開閉に応じて吹抜け窓を開閉することが望ましい。
【００１２】
建物は、第１のフロアの上方または下方に位置する第２のフロアを有していてもよい。この場合、当該通風管理システムは、第２のフロアの外壁に設けられた第２の外壁窓を開閉するための第２の外壁窓開閉装置と、第２の外壁窓の通風経路上に位置する第２の経路窓を開閉するための第２の経路窓開閉装置と、第２の外壁窓についての開放指示および閉鎖指示をユーザから受け付けるための第２の指示入力手段とをさらに備えることが望ましい。また、開閉制御手段は、第１の指示入力手段または第２の指示入力手段から閉鎖指示が入力された場合、他の階の経路窓が閉状態である場合に限り、同一階の経路窓とともに、吹抜け窓を閉鎖することが望ましい。
【００１３】
第１の外壁窓は、居室の外壁に設けられた複数の窓を含み、かつ、第１の外壁窓開閉装置は、窓ごとに設けられていてもよい。この場合、開閉制御手段は、第１の指示入力手段により複数の窓のうちの少なくとも１つの開放指示が入力された場合に、第１の経路窓を開放し、複数の窓の全てが閉状態となる場合に限り、第１の経路窓を閉鎖することが望ましい。
【００１４】
好ましくは、検知手段は、外気温を検知するための外気温センサと、降雨の有無を検知するための降雨センサとを含む。この場合、開閉制御手段は、第１の外壁窓が開状態のときに降雨センサにより降雨が検知された場合には、第１の外壁窓および第１の経路窓を閉鎖してもよい。
【００１５】
この発明の他の局面に従う通風制御装置は、建物の所定のフロアの外壁に設けられた外壁窓を開閉するための外壁窓開閉装置、外壁窓の通風経路上に位置する経路窓を開閉するための経路窓開閉装置、および、外壁窓についての開放指示および閉鎖指示をユーザから受け付けるための指示入力手段のそれぞれと信号授受可能に接続され、建物内の通風を制御する装置である。通風制御装置は、指示入力手段からの、外壁窓についての指示信号を入力する入力手段と、入力手段に指示信号が入力された場合に、当該指示信号に応じて、外壁窓開閉装置を制御して外壁窓の開閉を行うとともに、経路窓開閉装置を連動制御して経路窓の開閉を行う開閉制御手段とを備える。
【００１６】
この発明のさらに他の局面に従う通風制御プログラムは、建物の所定のフロアの外壁に設けられた外壁窓を開閉するための外壁窓開閉装置、および、外壁窓の通風経路上に位置する経路窓を開閉するための経路窓開閉装置を制御するプログラムである。通風制御プログラムは、外壁窓についての開放指示および閉鎖指示をユーザから受け付けるステップと、ユーザから外壁窓の開放指示が入力された場合に、外壁窓開閉装置を制御して外壁窓を開放するとともに、経路窓開閉装置を連動制御して経路窓を開放するステップと、ユーザから外壁窓の閉鎖指示が入力された場合に、外壁窓開閉装置を制御して外壁窓を閉鎖するとともに、経路窓開閉装置を連動制御して経路窓を閉鎖するステップとをコンピュータに実行させる。
【発明の効果】
【００１７】
本発明によれば、オフィスビルにおいても、容易かつ効果的に自然通風を行うことができる。
【図面の簡単な説明】
【００１８】
【図１】本発明の実施の形態に係る通風管理システムが適用される建物の一例を示す図である。
【図２】本発明の実施の形態に係る通風管理システムの構成を示すブロック図である。
【図３】本発明の実施の形態に係る通風制御装置の構成を示すブロック図である。
【図４】本発明の実施の形態に係る通風処理を示すフローチャートである。
【図５】図４のステップＳ６で表示される画面例を示す図である。
【図６】図４のステップＳ８で表示される画面例を示す図である。
【図７】本発明の実施の形態に係る窓開放処理を示すフローチャートである。
【図８】本発明の実施の形態に係る窓閉鎖処理を示すフローチャートである。
【図９】本発明の実施の形態の変形例に係る外壁窓の構成例を示す図である。
【図１０】本発明の実施の形態の変形例における各窓の開閉状態を概念的に示す図である。
【発明を実施するための形態】
【００１９】
本発明の実施の形態について図面を参照しながら詳細に説明する。なお、図中同一または相当部分には同一符号を付してその説明は繰返さない。
【００２０】
（通風管理システムの構成について）
はじめに、通風管理システムの概略構成について説明する。本実施の形態に係る通風管理システムは、図１に示すようなオフィスビル９に適用される。
【００２１】
図１を参照して、オフィスビル９は、複数の事務室９１と、複数の廊下室９２と、１つの階段室９３とを有している。事務室９１は、外壁に面した居室であり、オフィスビル９のたとえば２〜４階にそれぞれ設けられている。廊下室９２は、非居室であり、間仕切りを介して同一階の事務室９１にそれぞれ隣接している。階段室９３は、オフィスビル９のたとえば１階から最上階まで連通する吹抜け室であり、全ての廊下室９２に隣接されている。階段室９３と廊下室９２との境界部には、常時、通風可能な開口部２４が設けられているものとする。
【００２２】
図１に示されるように、各事務室９１の外壁には、屋外に面する開閉可能な窓（以下「外壁窓」という）２１が設けられている。また、各階において、事務室９１と廊下室９２との境界部（間仕切り壁）に、開閉可能な窓（以下「経路窓」という）２２が設けられている。また、階段室９３には、屋外に面する開閉可能な窓または扉（以下「吹抜け窓」という）２３が設けられている。これら、外壁窓２１、経路窓２２、および吹抜け窓２３の開閉は、電動で行われる。
【００２３】
外壁窓２１は、たとえば、外壁の上方位置に設けられた排煙窓である。経路窓２２は、同一階の外壁窓２１の通風経路上に位置しており、典型的には、間仕切り壁の扉上の欄間に設けられた窓である。吹抜け窓２３は、経路窓２２を介して、全ての階の外壁窓２１の通風経路上に位置している。なお、「通風経路」とは、屋外へ抜ける風の通路に限定されず、屋内の他室へ抜ける風の通路も含む。
【００２４】
また、オフィスビル９においては、各事務室９１のたとえば壁面に、操作パネル３３が設けられている。各操作パネル３３は、事務室９１の外壁窓２１についての開閉指示を受け付けたり、各種情報を表示したりする。
【００２５】
なお、図１等において、オフィスビル９内の２〜４階にかけて複数存在する構成物については、適宜、２階の構成物の符号に「ａ」を付加し、３階の構成物の符号に「ｂ」を付加し、４階の構成物の符号に「ｃ」を付加して示している。つまり、オフィスビル９の２階の事務室９１ａに、外壁窓２１ａおよび操作パネル３３ａが設けられ、事務室９１ａと廊下室９２ａとの境界部に経路窓２２ａが設けられている。オフィスビル９の３階の事務室９１ｂに、外壁窓２１ｂおよび操作パネル３３ｂが設けられ、事務室９１ｂと廊下室９２ｂとの境界部に経路窓２２ｂが設けられている。オフィスビル９の４階の事務室９１ｃに、外壁窓２１ｃおよび操作パネル３３ｃが設けられ、事務室９１ｃと廊下室９２ｃとの境界部に経路窓２２ｃが設けられている。
【００２６】
通風管理システム１は、図２に示されるように、このようなオフィスビル９内の通風を管理するために、上述の操作パネル３３ａ〜３３ｃに加え、通風を制御するための通風制御装置１０と、外気温を検知する外気温センサ３１と、降雨の有無を検知する降雨センサ３２と、外壁窓２１ａ〜２１ｃの開閉をそれぞれ行うための外壁窓開閉装置３６ａ〜３６ｃと、経路窓２２ａ〜２２ｃの開閉をそれぞれ行うため経路窓開閉装置３７ａ〜３７ｃと、吹抜け窓２３の開閉を行うため吹抜け窓開閉装置３８とを備えている。
【００２７】
通風制御装置１０は、外気温センサ３１、降雨センサ３２、操作パネル３３ａ〜３３ｃ、外壁窓開閉装置３６ａ〜３６ｃ、経路窓開閉装置３７ａ〜３７ｃ、および吹抜け窓開閉装置３８のそれぞれと、有線または無線にて、信号授受可能に接続されている。通風制御装置１０は、また、各階の換気扇４１（４１ａ〜４１ｃ）や、空調機４２（４２ａ〜４２ｃ）とも接続されていてもよい。各階の操作パネル３３（３３ａ〜３３ｃ）は、ユーザ（在室者）からの指示の入力を受け付けるための指示入力装置３４（３４ａ〜３４ｃ）と、各種情報を表示するための表示装置３５（３５ａ〜３５ｃ）とを一体的に有している。なお、各事務室９１において、指示入力装置３４と表示装置３５とは、個別に設けられていてもよい。
【００２８】
（通風制御装置の構成について）
次に、通風制御装置１０の構成について説明する。図３を参照して、通風制御装置１０は、各種演算および処理を行う制御部１１と、各種データおよびプログラムを記憶する記憶部１２と、接続機器との間で情報の入力および出力を行う入出力Ｉ／Ｆ（InterFace）１３と、計時動作を行う計時部１４と、ネットワーク通信を行うための通信Ｉ／Ｆ１５と、記録媒体１７からのデータやプログラムを読出し／書込み可能な駆動部１６とを含む。
【００２９】
制御部１１は、たとえば、ＣＰＵ（Central Processing Unit）などの演算処理装置により実現される。記憶部１２には、通風を制御するための制御プログラムが予め記憶されている。記憶部１２は、たとえば、フラッシュメモリなどの不揮発性記憶装置により実現される。入出力Ｉ／Ｆ１３は、上記した指示入力装置３４ａ〜３４ｃおよび表示装置３５ａ〜３５ｃと、有線または無線にて接続されている。計時部１４は、制御部１１からの指示に応じて時間を計測するタイマである。なお、計時部１４は、常に日時を計測するクロックであってもよい。記録媒体１７は、たとえば、ＣＤ−ＲＯＭ（Compact Disc-ROM）などの光学媒体や、メモリカードなどであってよい。
【００３０】
図３に示されるように、本実施の形態では、制御部１１は、その機能として、判定部１１１と、報知処理部１１２と、開閉制御部１１３とを含んでいる。
【００３１】
判定部１１１は、外気温センサ３１および降雨センサ３２から得られる気象情報に基づいて、現在通風に適しているか否かを判定する。具体的には、外気温が所定の温度帯（たとえば２０℃〜２５℃）であり、降雨がない場合に、通風に適していると判定し、それ以外の場合に、通風に適していないと判定する。
【００３２】
報知処理部１１２は、判定部１１１による判定結果を、各事務室９１のユーザに報知する処理を実行する。具体的には、報知処理部１１２は、入出力Ｉ／Ｆ１３を介して、各事務室９１の表示装置３５（操作パネル３３）に、通風推奨を示す情報、および、通風非推奨を示す情報のいずれかを表示させる。
【００３３】
開閉制御部１１３は、入出力Ｉ／Ｆ１３を介して指示入力装置３４から得られる、外壁窓の開放指示および閉鎖指示に基づいて、外壁窓２１の開閉を行うとともに、経路窓２２および吹抜け窓２３の開閉を制御する。なお、「開放指示」とは、窓を閉状態から開状態へ切替える指示であり、「閉鎖指示」とは、窓を開状態から閉状態へ切替える指示であるものとする。
【００３４】
開閉制御部１１３は、たとえば、２階の事務室９１ａにおける指示入力装置３４ａ（操作パネル３３）に開放指示または閉鎖指示が入力された場合、外壁窓２１ａの開閉に応じて少なくとも経路窓２２ａを開閉するように、外壁窓開閉装置３６ａと経路窓開閉装置３７ａとを連動制御する。吹抜け窓開閉装置３８については、全ての階の経路窓２２（外壁窓２１）が閉状態の場合に吹抜け窓２３が閉鎖され、それ以外の場合に吹抜け窓２３が開放されるように、制御される。
【００３５】
なお、本実施の形態では、判定部１１１、報知処理部１１２、および開閉制御部１１３の機能は、制御部１１がソフトウェアを実行することで実現されることとするが、これらのうち少なくとも１つの機能は、ハードウェアにより実現されてもよい。
【００３６】
（動作について）
次に、通風管理システム１の動作について説明する。通風管理システム１の動作は、通風制御装置１０の制御部１１が図４に示す通風処理を実行することによって実現される。
【００３７】
図４は、本実施の形態に係る通風処理を示すフローチャートである。この通風処理は、通風制御装置１０の制御部１１が、記憶部１２に予め記憶された制御プログラムを読出して実行することで実現される。
【００３８】
はじめに、判定部１１１が、外気温センサ３１からの信号に基づいて、現在の外気温が、たとえば２０℃〜２５℃の温度帯に含まれているか否かを判断する（ステップＳ２）。現在の外気温が上記温度帯に含まれていれば（ステップＳ２においてＹＥＳ）、ステップＳ４に進み、現在の外気温が上記温度帯に含まれていなければ（ステップＳ２においてＮＯ）、ステップＳ８に進む。
【００３９】
ステップＳ４では、判定部１１１は、降雨センサ３２からの信号に基づいて、降雨の有無を判定する。現在降雨なしと判定された場合（ステップＳ４にてＹＥＳ）、ステップＳ６に進み、現在降雨ありと判定された場合（ステップＳ４にてＮＯ）、ステップＳ８に進む。
【００４０】
ステップＳ６では、報知処理部１１２が、通風推奨を報知する。この場合における、各事務室９１に設けられた操作パネル３３の表示例を、図５に示す。図５に示されるように、操作パネル３３には、「通風に適しています」という文字が表示されている。また、操作パネル３３上には、同階の外壁窓２１を開放状態（ＯＰＥＮ）とするための指示ボタンＢＴ１と、同階の外壁窓２１を閉鎖状態（ＣＬＯＳＥ）とするための指示ボタンＢＴ２とが表示されている。指示ボタンＢＴ１，ＢＴ２は、現状の外壁窓２１の状態が識別可能となるように表示されてもよい。
【００４１】
一方、ステップＳ８では、報知処理部１１２が、通風非推奨を報知する。この場合における、各事務室９１に設けられた操作パネル３３の表示例を、図６に示す。図６に示されるように、操作パネル３３には、「通風に適していません」という文字が表示されている。また、この場合も、図５と同様に、２つの指示ボタンＢＴ１，ＢＴ２が表示されている。なお、ステップＳ６，Ｓ８いずれの場合も、操作パネル３３には、ステップＳ２およびＳ４で検知した外気温および降雨の有無の情報が、さらに表示されてもよい。
【００４２】
報知処理部１１２による報知処理が終わると、いずれかの階で開閉指示が入力されたか否かが判断される（ステップＳ１０）。いずれかの階で開放指示が入力された場合、すなわち上記指示ボタンＢＴ１が指示された場合（ステップＳ１０にてＹＥＳ、「ＯＰＥＮ」）、開閉制御部１１３により窓開放処理が実行される（ステップＳ１２）。窓開放処理については、図７にサブルーチンを挙げて説明する。
【００４３】
図７を参照して、開閉制御部１１３は、指示のあった階の外壁窓開閉装置３６を制御して、その階の外壁窓２１を開放するとともに（ステップＳ３２）、同一階における経路窓開閉装置３７を連動的に制御して、経路窓２２を開放する（ステップＳ３４）。
【００４４】
続いて、開閉制御部１１３は、吹抜け窓２３が既に開状態か否かを判断する（ステップＳ３６）。吹抜け窓２３が開状態であれば（ステップＳ３６にてＹＥＳ）、吹抜け窓開閉装置３８を制御することなく、処理はメインルーチンに戻される。一方、吹抜け窓２３が閉状態であれば（ステップＳ３６にてＮＯ）、開閉制御部１１３は、さらに吹抜け窓開閉装置３８を制御して、吹抜け窓２３を開放する（ステップＳ３８）。この処理が終われば、処理はメインルーチンに戻される。
【００４５】
再び図４を参照して、窓開放処理が終わると、その階の換気扇４１および空調機４２をＯＦＦにし（ステップＳ１４）、上記ステップＳ２に戻る。
【００４６】
ステップＳ１０において、いずれかの階で閉鎖指示が入力されたと判断された場合、すなわち上記指示ボタンＢＴ２が指示された場合（ステップＳ１０にてＹＥＳ、「ＣＬＯＳＥ」）、開閉制御部１１３により窓閉鎖処理が実行される（ステップＳ１６）。窓閉鎖処理については、図８にサブルーチンを挙げて説明する。
【００４７】
図８を参照して、開閉制御部１１３は、指示のあった階の外壁窓開閉装置３６を制御して、その階の外壁窓２１を閉鎖するとともに（ステップＳ４２）、同一階における経路窓開閉装置３７を連動的に制御して、経路窓２２を閉鎖する（ステップＳ４４）。
【００４８】
続いて、開閉制御部１１３は、他のいずれかの階の経路窓２２が開状態であるか否かを判断する（ステップＳ４６）。他のいずれかの階の経路窓２２が開状態であれば（ステップＳ４６にてＹＥＳ）、吹抜け窓開閉装置３８を制御することなく、吹抜け窓２３を開状態としたまま、処理はメインルーチンに戻される。
【００４９】
一方、他のいずれの階においても経路窓２２が閉状態であれば（ステップＳ４６にてＮＯ）、開閉制御部１１３は、吹抜け窓開閉装置３８を制御して、吹抜け窓２３を閉鎖する（ステップＳ４８）。つまり、開閉制御部１１３は、他の階の経路窓２２も閉状態である場合に限り、指示のあった階の経路窓２２とともに吹抜け窓２３を閉鎖する。この処理が終われば、処理はメインルーチンに戻される。
【００５０】
なお、経路窓２２は同一階の外壁窓２１と連動するため、ステップＳ４６では、他のいずれかの階の外壁窓２１が開状態か否かが判断されてもよい。
【００５１】
再び図４を参照して、窓閉鎖処理が終わると、その階の換気扇４１をＯＮにし（ステップＳ１８）、上記ステップＳ２に戻る。なお、外壁窓２１が閉鎖された場合においては、空調機４２のＯＮ／ＯＦＦは、空調機４２自体が有する操作装置に対する指示に従うものとする。
【００５２】
報知処理部１１２による報知処理が行われてから所定時間（たとえば５分）の間、いずれの階の操作パネル３３においても開閉指示が入力されなければ（ステップＳ１０にてＮＯ、ステップＳ２０にてＹＥＳ）、ステップＳ２に戻り、上記処理を繰り返す。
【００５３】
上述のように、本実施の形態によれば、外壁窓２１の開放に伴って、その通風経路上の経路窓２２および吹抜け窓２３も開放されるため、オフィスビル９においても容易に自然通風を利用することができる。また、判定部１１１により通風に適していると判定された場合であっても、ユーザから開放指示があった場合にのみ、外壁窓２１が開放される。つまり、本システム１によれば、通風のための窓の開放が半自動で行われる。したがって、外壁窓２１が自動的に開放されることによる、たとえば書類が飛散するといった不都合を回避することができる。さらに、判定部１１１による判定結果がユーザに報知されるため、通風推奨が報知された場合には、ユーザは「気兼ね」することなく外壁窓２１の開放指示を入力することができる。
【００５４】
また、いずれかの階の外壁窓２１を閉鎖する場合であっても、他の階の外壁窓２１が開放されていれば、吹抜け窓２３は開放したままとされる。そのため、各階において快適な屋内環境を実現することができる。
【００５５】
（変形例）
なお、各階において、事務室９１の外壁窓２１は、複数の窓を含んでもよい。つまり、各事務室９１の外壁には、図９に示されるように、経路窓２２との通風経路上にある複数の窓（外壁窓）２１−１，２１−２，２１−３が設けられていてもよい。この場合、窓ごとに、通風制御装置１０により制御される外壁窓開閉装置３６が設けられ、窓ごとに、開閉指示が可能であってもよい。
【００５６】
当該変形例では、開閉制御部１１３は、複数の窓２１−１，２１−２，２１−３のうちの少なくとも１つの開放指示が入力された場合に、同一フロアの経路窓２２を開放し、全ての窓２１−１，２１−２，２１−３が閉状態となる場合に限り、経路窓２２を閉鎖することが望ましい。
【００５７】
図１０には、当該変形例において開閉制御部１１３により実行される開閉制御の具体例が、概念的に示されている。図１０を参照して、たとえば２階および４階の事務室９１ａ，９１ｃでは、少なくとも１つの外壁窓２１が開放状態であるため、同一階の経路窓２２ａ，２２ｃは開放されている。これに対し、３階の事務室９１ｂでは、全ての外壁窓２１が閉鎖状態であるため、同一階の経路窓２２ｂは閉鎖されている。この場合、２階および４階の経路窓２２ａ，２２ｃが開放されているため、吹抜け窓２３は開放状態とされている。
【００５８】
（他の変形例）
上記実施の形態では、屋外の気象情報として、外気温と降雨の有無とが検知されることとしたが、湿度、風向、風速など他の情報がさらに検知されてもよい。つまり、判定部１１１は、これらの情報をさらに用いて、通風の適／不適を判定してもよい。
【００５９】
また、報知処理部１１２は、判定部１１１による判定結果を表示によりユーザに報知することとしたが、音声など他の方法によりユーザに報知してもよい。
【００６０】
また、本実施の形態では、判定部１１１により通風に適していないと判断される場合でも、その旨を報知するのみで、外壁窓２１の開閉操作はユーザに任せていた。しかし、降雨時、あるいは、強風時など、屋外の気象が特に通風に不適な状況である場合には、開閉制御部１１３は、少なくとも屋外に面する外壁窓２１および吹抜け窓２３を強制的に閉鎖してもよい。また、この場合、報知処理部１１２による通風非推奨の報知は行われなくてもよい。
【００６１】
また、上記実施の形態では、外壁窓２１の通風経路上に、経路窓２２と吹抜け窓２３とが位置することとしたが、少なくとも経路窓２２が位置していればよい。つまり、オフィスビル９には、吹抜け窓２３が設けられていなくてもよい。この場合、経路窓２２は、屋内の間仕切り壁に設けられた窓または扉に限定されず、屋外に面する窓、すなわち他の外壁窓であってもよい。
【００６２】
また、上記実施の形態では、通風管理システム１がオフィスビル９に適用されることとしたが、集合住宅など他種の建物に適用してもよい。その場合、上記した事務室９１は、リビングなどの居室であってもよい。
【００６３】
また、上記実施の形態では、複数フロアに、制御対象となる外壁窓２１および経路窓２２が設けられることとしたが、任意の１フロアにのみ、制御対象となる外壁窓２１および経路窓２２が設けられてもよい。この場合、経路窓２２の開閉に応じて吹抜け窓２３が開閉されればよい。
【００６４】
なお、図４に示した通風処理に従う建物の通風制御方法を、プログラム（通風制御プログラム）として提供することもできる。このようなプログラムは、ＣＤ−ＲＯＭなどの光学媒体や、メモリカードなどのコンピュータ読取り可能な一時的でない（non-transitory）記録媒体にて記録させて提供することができる。また、ネットワークを介したダウンロードによって、プログラムを提供することもできる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  通風管理システム、９  オフィスビル（建物）、１０  通風制御装置、１１  制御部、１２  記憶部、１３  入出力Ｉ／Ｆ、１４  計時部、１５  通信Ｉ／Ｆ、１６  駆動部、１７  記録媒体、２１（２１ａ〜２１ｃ）  外壁窓、２２（２２ａ〜２２ｃ）  経路窓、２３  吹抜け窓、２４  開口部、３１  外気温センサ、３２  降雨センサ、３３（３３ａ〜３３ｃ）  操作パネル、３４（３４ａ〜３４ｃ）  指示入力装置、３５（３５ａ〜３５ｃ）  表示装置、３６（３６ａ〜３６ｃ）  外壁窓開閉装置、３７（３７ａ〜３７ｃ）  経路窓開閉装置、３８  吹抜け窓開閉装置、４１（４１ａ〜４１ｃ）  換気扇、４２（４２ａ〜４２ｃ）  空調機、９１（９１ａ，９１ｃ，９１ｂ）  事務室、９２（９２ａ〜９２ｃ）  廊下室、９３  階段室、１１１  判定部、１１２  報知処理部、１１３  開閉制御部、ＢＴ１，ＢＴ２  指示ボタン。
【図１】
0006461538.tif 000002
【図２】
0006461538.tif 000003
【図３】
0006461538.tif 000004
【図４】
0006461538.tif 000005
【図５】
0006461538.tif 000006
【図６】
0006461538.tif 000007
【図７】
0006461538.tif 000008
【図８】
0006461538.tif 000009
【図９】
0006461538.tif 000010
【図１０】
0006461538.tif 000011